(57)【要約】【課題】設置スペースが小さくて、経済的なパレットの洗浄・水切り装置を提供する。【解決手段】パレット洗浄水切り装置は、処理能力が高く、全自動で行えるが、設備の設置スペースが大きく、費用が嵩む。本発明は、洗浄するパレットＷを段積み状態で載置する搬入台１ａと、洗浄し水切り後のパレットＷを段積み状態で載置する搬出台１ｂを両側に設ける。そして、搬入台１ａと搬出台１ｂの間にパレットＷを縦置きに内挿して洗浄する洗浄室２と、同じ方向に縦置きに内挿して水切りを行う水切り室３を隣接して設ける。さらに、搬入台１ａから搬出台１ｂまでの中央上部にホイストレール１５を設け、これにパレットを吊持して移動を行うためのホイスト１６を備えている。【選択図】図１
2004237176.tif 000002
【特許請求の範囲】
【請求項１】
洗浄するパレットを段積み状態で載置する搬入台と、洗浄して水切り後のパレットを段積み状態で載置する搬出台を長手方向に設け、該搬入台と搬出台の間にパレットを長手方向と直角方向に縦置きに上方から内挿する洗浄室と、該洗浄室と同じ方向にパレットを内挿する水切り室とを隣接して設け、該搬入台から搬出台までの中央上方にホイストレールを設置し、これに、パレットを吊持するホイストを備えたことを特徴とするパレットの洗浄・水切り装置。
【請求項２】
前記洗浄室はパレットを支持して昇降させるパレット昇降手段を備えるとともに洗浄室上部に洗浄ノズルと洗浄ブラシを備え、前記水切り室はパレット昇降手段とエアノズルを備えたことを特徴とする請求項１記載のパレットの洗浄・水切り装置。
【発明の詳細な説明】
【０００１】
【発明の属する技術分野】
本発明は、段積み状態で供給された汚れたパレットを洗浄・水切りして段積み状態にするパレットの洗浄・水切り装置に関するものである。
【０００２】
【従来の技術】
パレットは、使用してないときは屋外に放置されることが多く、泥や異物が付着して汚れてしまう。このため、パレットを洗浄する必要があり、大量のパレットを扱っているところでは段積み状態でパレットを供給し、自動的にパレットを洗浄・水切りして段積み状態で取り出せる装置を使用している。
【０００３】
この自動洗浄装置の一般的な構成は、図６に示すように、段積み状態でパレットを受け入れる供給手段３１と、自動的に一個ずつ取り入れて洗浄する洗浄手段３２と、洗浄されたパレットを受け入れて水切りを行う水切り手段３３と、水切りされたパレットを段積みする搬出手段３４から構成されている。そして、フォークリフトで段積みされたパレットを供給手段３１に供給するだけで、一個ずつ自動的に洗浄・水切りされて、搬出手段３４に段積みされた状態に置かれる。
【０００４】
一般には洗浄手段３２は低圧のシャワー洗浄が使用され、水切り手段３３は高速のエアを吹き付けるエアブロー方式が使用されている。また、水切り手段３３としてパレットを回転させて、遠心力で水切りを行う高能率なものもある。
しかしながら、上記のパレット洗浄・水切り装置は、大きな設置スペースを必要とするという難点がある。
【０００５】
そこで、設置スペースを小さくしたものとして洗浄と水切りを同じ槽で行うようにしたものが開発されている（例えば、特許文献１）。
【０００６】
【特許文献１】実用新案登録第３０７３６５７号公報。
【０００７】
【発明が解決しようとする課題】
特許文献１の洗浄・水切り装置は、水切り室１個分の長さを短くすることができるが、洗浄と水切りを同じ槽で行うので、水切りが終わらないと次のパレットを洗浄することができず、処理能力がかなり落ちるという欠点がある。
【０００８】
また、洗浄時の水が槽の上部に付着することが多く、これが水切り後のパレットに落ちて濡らすという欠点もある。さらに、装置が複雑で高価であり、パレットのサイズの異なったものを洗浄するときは、段取りに時間がかかるといった欠点もある。
【０００９】
ところで、パレットを沢山取り扱うところでは上記の全自動によるパレット洗浄・水切り装置が有効に使用され、それなりに導入効果を上げている。しかし、パレットの使用量がさほど多くないところでは、設備の設置費用と設置スペースの両面から導入できず、未だ、人手によってパレットの洗浄が少なからず行われている。
【００１０】
そこで、本発明は、設置スペースが従来の半分程度で、少量のパレットを扱うのに好都合な簡易型の経済的なパレットの洗浄・水切り装置を提供することを目的としている。
【００１１】
【課題を解決するための手段】
上記目的を達成するため、本発明では次の手段を採った。即ち、
洗浄するパレットを段積み状態で載置する搬入台と、洗浄して水切り後のパレットを段積み状態で載置する搬出台を長手方向に設け、該搬入台と搬出台の間にパレットを長手方向と直角方向に縦置きに上方から内挿する洗浄室と、該洗浄室と同じ方向にパレットを内挿する水切り室とを、隣接して設け、該搬入台から搬出台までの中央上方にホイストレールを設置するとともに、パレットを吊持するホイストを備えたことを特徴としている。
【００１２】
本発明のパレットの洗浄・水切り装置は段積み状態にパレットを載置する搬入台と搬出台との間に洗浄室と水切り室を設置し、パレットの移送は上方に設置したホイストレールに係止させたホイストを操作することによっている。
搬入台のパレットはホイストによって縦向き（移送方向に対して直角方向）に吊られ、洗浄室に上方から挿通される。
【００１３】
洗浄室と水切り室はほぼ同じ大きさで、上方が開放されており、パレットはホイストで吊持されて挿入される。パレットの洗浄および水切りの手段は特に限定しないが、洗浄室は中程まで水を溜め、パレットを昇降させつつ洗浄ノズルと洗浄ブラシで洗浄し、また、水切り室は上部にエアノズルを設けて、パレットを昇降させるのが簡便で故障も少ない。
【００１４】
なお、洗浄室および水切り室におけるパレットの昇降を行う手段は、パレットをホイストで昇降させるようにしてもよいが、請求項２に記載のように、パレットを支持して昇降させるパレット昇降手段を備え、個別に作動できるようにするのが望ましい。なお、パレット昇降手段はチェーン駆動でもよいし、油圧シリンダでもよい。
【００１５】
【発明の実施の形態】
以下、本発明の実施の形態を図１〜図５に基づいて説明する。
図１は本発明のパレットの洗浄・水切り装置の全体を示す正面図である。
所定の幅を有する横長の架台１が設置され、そのほぼ中央に洗浄室２と水切り室３が設けられている。そして、洗浄室２と水切り室３の両端部から上方へ支持ステー１４が設けられ、これにホイストレール１５が設けられている。
【００１６】
このホイストレール１５は、図２に示すように、架台１の長手方向中心線上に設置されており、これにホイスト１６が設けられている。
洗浄すべきパレットは架台１の右側の搬入台１ａにフォークリフトで段積み状態で置かれるが、パレットガイド２１、２２によってほぼ、整然と積載される。
【００１７】
洗浄室２と水切り室３はほぼ同じ大きさであり、パレットはそれぞれ縦にした状態で上方からホイスト１６に吊持されて内挿される。
洗浄室２および水切り室３には、それぞれパレットを支持して昇降させるパレット昇降手段１２、１３が設けられている。このパレット昇降手段１２，１３はチェーン２８を両側に上下方向にエンドレスに巻回し、パレットを係止させるブラケット２６を架け渡している。チェーン２８を駆動するスプロケット２７は、ブラケット２６がパレットの高さ分上下するように回転方向を正逆変更させている。なお、パレット昇降手段１２，１３の昇降回数または時間は制御盤２４に手動で入力できるようにしている。
【００１８】
洗浄室２は、常時、半分程度貯水されており、上部には洗浄ノズル４、洗浄ブラシ７、および、濯ぎノズル５を備えており、室外に設けた給水接続口１８および洗浄ポンプ３と配管接続されている。
水切り室３は、パレット昇降手段１３の上部付近に、エアノズル１１が設けられ、外部に設置されたリングブロワ９、１０に接続されている。なお、水切り室３の床面には落下した水の排水口を備えている。
【００１９】
パレット搬出台１ｂは水切り後のパレットを段積みして載置するもので、搬入台１ａと同様に、パレットガイド２１、２２が設けられている。
次に、このように構成されたパレットの洗浄・水切り装置の作用について説明する。なお、パレットの洗浄・水切り装置は始動ボタンを操作することで、作動が開始され、人手を介する必要はない。
【００２０】
まず、洗浄するパレットはフォークリフトで段積みされた状態でパレット搬入台１ａに載置される。作業者は、ホイスト１６をパレット搬入台１ａの上部に移動させて、ホイスト１６に取り付けられた搬送用ハンガー１７で段積みされた最上段のパレットを一枚縦方向にして吊り上げ、洗浄室２の上方へ移動させる。
【００２１】
そして、パレットを下降させ、パレット昇降手段１２に支持させて、搬送用ハンガー１７を外す。次に、手元始動ボタンを操作してパレット洗浄、およびパレット昇降手段１２の昇降回数を指示する。
これにより、パレット昇降手段１２が駆動し、パレットを昇降させ、洗浄ノズル４から水を噴射させるとともに洗浄ブラシ６を回転させて、パレットの汚れを落とす。そして、最終段階では、濯ぎノズル６から清水をパレットへ吹き付けて洗い流す。
【００２２】
予め設定した上下回数または時間を経過すると、パレット昇降手段１２がパレットを最上位置に上げた状態にして停止する。
作業者は、洗浄されたパレットにホイスト１６の搬送用ハンガー１７を係止させて吊り上げ、水切り室３の上部へ移動させて下降させパレット昇降手段１３に支持させて、搬送用ハンガー１７を外し、水切り始動ボタンを操作する。これにより、水切りが開始される。
【００２３】
続いて、作業者はホイスト１６を搬入台１ａの上方へ移動させ、次のパレットを吊持して、洗浄室２の上方へ移動し、パレット昇降手段１２に支持させて搬送用ハンガー１７を外し、洗浄始動ボタンを操作する。
水切り室３ではパレットをパレット昇降手段１３が支持して上下往復させ、リングブロワ９、１０で作られた圧縮エアを水切りノズル１１から噴出させ、パレットに付着している水滴を吹き飛ばす。なお、パレットは縦に置かれているので、付着している水滴は重力で自然落下するとともに、エアで吹き飛ばすので効率よく水切りが行われる。
【００２４】
水切りが終わったパレットは、パレット昇降手段１３によってパレットを最上位置の状態で停止するので、作業者は搬送用ハンガー１７で再び吊り上げ、搬出台へ載置する。
この作業は、パレットをホイスト１６で吊持してパレットガイド２２に当てて倒しながらパレットガイド２１に沿って横倒しにして載置する。
【００２５】
そして、搬出台１ｂにある程度パレットが溜まったら、フォークリフトで取り出せばよい。
【００２６】
【発明の効果】
以上説明したように、本発明のパレットの洗浄水切り装置は、搬入台と搬出台の間にパレットを長手方向と直角方向に縦置きに上方から内挿する洗浄室と、該洗浄室と同じ方向にパレットを内挿する水切り室とを隣接して設け、該搬入台から搬出台までの中央上方にホイストレールを設置し、これに、パレットを吊持するホイストを備えたので、簡便にパレットの洗浄水切りができ、従来の装置に比べ半分以下のスペースに設置することができ、しかも経済的な洗浄水切り装置である。
【図面の簡単な説明】
【図１】本発明の実施の形態を示す正面図である。
【図２】同  平面図である。
【図３】同  側面図である。
【図４】同  洗浄手段の詳細を示す斜視図である。
【図５】同  洗浄室におけるパレットの昇降コンベアの詳細を示す図で、（ａ）は側面図、（ｂ）は正面図である。
【図６】従来のパレット洗浄水切り装置の平面図である。
【符号の説明】
１…架台                                    １ａ…搬入台
１ｂ…搬出台              ２…洗浄室
３…洗浄ポンプ            ４…洗浄ノズル
５…濯ぎノズル                ６…洗浄ブラシ
７…駆動モータ            ８…水切り室
９，１０…リングブロワ  １１…エアノズル
１２…パレット昇降手段        １３…パレット昇降手段
１５…ホイストレール      １６…ホイスト
１７…搬送用ハンガー      １８…給水接続口
１９，２０…排水口
２１，２２…パレットガイド
２４…制御盤
３１…供給手段                    ３２…洗浄手段
３３…水切り手段                    ３４…搬出手段
【図１】
2004237176.tif 000003
【図２】
2004237176.tif 000004
【図３】
2004237176.tif 000005
【図４】
2004237176.tif 000006
【図５】
2004237176.tif 000007
【図６】
2004237176.tif 000008